(57)【要約】【課題】使い勝手の良いカメラ付き携帯電子機器の提供。【解決手段】第一の筐体と第二の筐体をヒンジ部により回動可能に接続し、前記ヒンジ部にカメラを回動可能に配した携帯電子機器において、前記ヒンジ部にカメラ方向操作ノブと少なくとも１つのカメラ窓とを備え、前記カメラ方向操作ノブを操作することで前記カメラの向きを前記ヒンジ部による回動方向に対して異なる方向に動かすことを特徴とする。【選択図】    図１
2005026819.tif 000002
【特許請求の範囲】
【請求項１】
第一の筐体と第二の筐体をヒンジ部により回動可能に接続し、前記ヒンジ部にカメラを回動可能に配した携帯電子機器において、前記ヒンジ部にカメラ方向操作ノブと少なくとも１つのカメラ窓とを備え、前記カメラ方向操作ノブを操作することで前記カメラの向きを前記ヒンジ部による回動方向に対して異なる方向に動かすことを特徴とするカメラ付き携帯電子機器。
【請求項２】
前記カメラ窓は対向する位置に２箇所ある事を特徴とする請求項１記載のカメラ付き携帯電子機器。
【請求項３】
前記カメラ窓はヒンジの回動軸と並行方向に幅広な窓であることを特徴とする請求項１，２記載のカメラ付き携帯電子機器。
【請求項４】
前記カメラの方向が前記カメラ窓の開口範囲の内と外との境にきたときの報知する報知手段を備えていることを特徴とする請求項１から３記載のカメラ付き携帯電子機器。
【発明の詳細な説明】
【０００１】
【発明の属する技術分野】
本発明は、カメラ付きの携帯型の電子機器に関する。
【０００２】
【従来の技術】
従来の技術は、２体式携帯電話の筐体間を回動自在に接続し、その接続部にカメラを設けて、カメラも筐体とは別に回動自在に動かすことのできる携帯電話が開示されている。（例えば、特許文献１参照）
【０００３】
【特許文献１】
特開２００３−６０７６４号公報（第４，５，６項、第４図）
【０００４】
【発明が解決しようとする課題】
しかし、カメラの動く方向は回動方向に限られてしまい、例えば回動方向に対して垂直方向にカメラを向けたい場合には携帯電話全体を動かさなければならないという欠点を有している。
【０００５】
【課題を解決するための手段】
本発明では以下の手段を講じて問題の解決を図った。
【０００６】
第一の筐体と第二の筐体をヒンジ部により回動可能に接続し、ヒンジ部にカメラを回動可能に配し、ヒンジ部にカメラ方向操作ノブと少なくとも１つのカメラ窓とを備え、カメラの方向をヒンジの回動方向に加え、カメラ方向操作ノブを操作することでヒンジ部による回動方向に対して垂直方向に動かすことを可能にする構成とした。
【０００７】
さらに、カメラ窓をヒンジ部の対向する２位置に設け、ヒンジ部を回動させずにカメラ方向操作ノブを操作することでカメラを１８０度回転させる構成とした。
【０００８】
さらに、カメラ窓の開口部を幅広とした。
【０００９】
さらに、カメラの向きを変えたときにカメラ窓の開口範囲内と外との境にきたときの報知する報知手段を備える構成とした。
【００１０】
【発明の実施の形態】
以下本発明の実施の形態について図面を参照して説明する。
【００１１】
図１は本発明の第一の実施の形態を示す携帯電話機の斜視図である。第一の筐体１００と第二の筐体１０１は回動可能にヒンジ部１０３で接続されている。図は携帯電話を閉じた状態にしたときの斜視図である。カメラ窓１０４はヒンジ部の回動軸に沿って幅広に配置している。これは、例えば長穴で実現される。カメラ操作ノブ１０２はヒンジ部１０３の中に内蔵しているカメラの方向を操作するノブである。カメラはカメラ窓１０４を通して映像を写すことになる。筐体は開くことも可能である。
【００１２】
図２は本発明の第一の実施の形態を示す携帯電話機のヒンジ部の側面から見たときのカメラの方向を示す図である。図中の（ａ）はカメラが第一の筐体方向正面に向いている図である。図中（ｂ）はカメラが第一の筐体方向斜めに向いている図である。図中（ｃ）はカメラが第二の筐体方向正面に向いている図である。図中同じ構成は同じ番号を用いている。
【００１３】
ヒンジ部は筐体及びカメラを回動可能に接続するために、カメラモジュール２０５を配置するためのヒンジカメラ部分２００と筐体を回動可能に接続する筐体ヒンジ部２０６，２０７とに分かれる。カメラモジュール２０５はヒンジカメラ部２００に内蔵されているので点線で示した。カメラ操作ノブ２０４はカメラモジュール２０５に接続され、カメラモジュール２０５はカメラ操作ノブ２０４を操作することで方向を変える。第一のカメラ窓２０１と第二のカメラ窓２０２はヒンジ部の対向する位置に配置したカメラ窓である。こうすることでカメラ操作ノブ２０４を操作することでヒンジ部を回さなくとも反対側にカメラを向けることができる。カメラ方向矢印２０３はカメラの方向を表している。
【００１４】
カメラ操作ノブ２０４の頂上部分は三角の印がありカメラの方向と一致するように記されている。例えは（ａ）ではカメラは第一のカメラ窓側に向いているが、カメラ操作ノブを操作して（ｂ）ではカメラを第一のカメラ窓側の斜め４５度方向へ向けることや、（ｃ）では第二のカメラ窓２０２側に向けることができる。カメラの向きはカメラ操作ノブ２０４により任意に調節可能である。カメラ窓の範囲外にカメラを向けようとすると報知する機構を付け加え範囲外になることを知らせることも可能である。カメラモジュール２０５とカメラヒンジ部２００との摺動部に、カメラ窓の範囲内外の境部に凹凸を設けることで、境界部を摺動するときに接触して操作したときに触覚で感知できるなどの構成をとることもできる。
【００１５】
図３は本発明の第一の実施の形態を示す携帯電話機の筐体側面方向を見たときのカメラの方向を示す図である。図中（ａ）はカメラが第一の筐体方向正面に向いている図である。図中（ｂ）はカメラがヒンジ部の回動により第一の筐体方向斜めに向いている図である。図中同じ構成は同じ番号を用いている。
【００１６】
第一の筐体３０４、第二の筐体３０６はヒンジ部３０５で回動可能に接続されている。カメラモジュール３０１は内臓されているので点線で示した。カメラ操作ノブ３０３を操作することで、ヒンジ部により回動する方向とは別の方向にカメラモジュールの方向を変えられる。第一のカメラ窓３００と第二のカメラ窓３０２にカメラ窓があり、カメラはこの窓を通して写真を写すことになる。カメラモジュール３０１はヒンジ部３０５の回動方向に向きを変えることができる。（ａ）ではカメラの方向は第一の筐体に対して９０度の角度に向いているが、ヒンジ部３０５を動かすことでカメラの方向は第一の筐体に対して斜めの角度をもたせることができる。回動は任意の角度で動かすことができる。
【００１７】
【発明の効果】
以上のようにカメラ付き携帯型の電子機器の例として携帯電話機で説明した本発明は、カメラ操作ノブの操作によりカメラの方向をヒンジ部による回動方向とは別の方向へ向けることができる。ヒンジ部の回動方向に加えカメラ窓幅広に配したことでカメラ操作ノブの操作により縦横方向にカメラ付き電子機器全体を動かさずにカメラの向きを変えることが可能である。また、カメラ窓を２つ持つことでヒンジ部を動かすことなくカメラ操作部の操作だけで反対側にカメラを向けることが可能となる。上下左右にカメラの方向を変えることができるので、電子機器全体を動かすことなくカメラの方向を変えることができる。
【図面の簡単な説明】
【図１】本発明の第一の実施の形態を示す携帯電話機の斜視図である。
【図２】本発明の第一の実施の形態を示す携帯電話機のヒンジ部の側面から見たときのカメラの方向を示す図である。
（ａ）はカメラが第一の筐体方向正面に向いている図である。
（ｂ）はカメラが第一の筐体方向斜めに向いている図である。
（ｃ）はカメラが第二の筐体方向正面に向いている図である。
【図３】本発明の第一の実施の形態を示す携帯電話機の筐体側面方向を見たときのカメラの方向を示す図である。
（ａ）はカメラが第一の筐体方向正面に向いている図である。
（ｂ）はカメラがヒンジ部の回動により第一の筐体方向斜めに向いている図である。
【符号の説明】
１００第一の筐体
１０１第二の筐体
１０２カメラ操作ノブ
１０３ヒンジ部
１０４カメラ窓
２００ヒンジのカメラ部
２０１第一のカメラ窓
２０２第二のカメラ窓
２０３カメラの向きを示す矢印
２０４カメラ操作ノブ
２０５カメラモジュール
２０６，２０７ヒンジ部
３００第一のカメラ窓
３０１カメラモジュール
３０２第二のカメラ窓
３０３カメラ操作ノブ
３０４第一の筐体
３０５ヒンジ部
３０６第二の筐体
【図１】
2005026819.tif 000003
【図２】
2005026819.tif 000004
【図３】
2005026819.tif 000005